(57)【特許請求の範囲】
【請求項１】
複数のネットワークを移動して通信を行う移動通信端末が、前記移動通信端末が所属するホームネットワークとは別の第１のネットワークに移動し、前記第１のネットワークに接続された移動通信端末管理装置が送信する第１のメッセージを受信する状態において、前記移動通信端末が、前記ホームネットワーク及び前記第１のネットワークとは別の第２のネットワークに接続された移動通信端末管理装置が送信する第２のメッセージ及び前記第１のメッセージの両方を受信する位置に移動すると、前記第２のネットワークを移動先として登録するための登録要求を、前記第１のネットワークに接続された移動通信端末管理装置に送信し、
前記第１のネットワークに接続された移動通信端末管理装置が、前記登録要求を前記ホームネットワークに接続された移動通信端末管理装置に転送することを特徴とする移動通信端末管理方法。
【発明の詳細な説明】
【０００１】
【発明の属する技術分野】
本発明は、複数のネットワークを移動して通信を行う移動通信端末の位置管理を行う移動通信端末管理方法に関する。
【０００２】
【従来の技術】
近年、移動通信技術の発展と計算機の小型化により、ネットワークアドレスを持った通信端末を使用するユーザが複数のネットワーク間を移動しながら通信を行うモバイルコンピューティングの実現が期待されている。
【０００３】
従来の固定された通信端末に割り当てられたネットワークアドレスが不変なものとして扱うことが可能であるのに対し、移動先のネットワークにおいて新しいネットワークアドレスの割り当てを伴うモバイルコンピューティングでは、アドレスに変更があった場合にも、連続した通信が保たれるような移動透過性を保証する方式が必要となる。そのために、ＩＥＴＦ（Ｉｎｔｅｒｎｅｔ  Ｅｎｇｉｎｅｅｒｉｎｇ  Ｔａｓｋ  Ｆｏｒｃｅ）で、Ｍｏｂｉｌｅ  ＩＰ（ＲＥＣ２２０２）の標準化が進められている。
【０００４】
以下、Ｍｏｂｉｌｅ  ＩＰによる移動通信方法を、図１１〜図１４に基づき説明する。
【０００５】
図１１は、Ｍｏｂｉｌｅ  ＩＰを行うシステムの構成を示す図である。同図において、１１０１は移動端末（ＭＮ）であり、該移動端末（ＭＮ）１１０１の通信相手がＣＮ（Ｃｏｒｒｅｓｐｏｎｄ  Ｎｏｄｅ）１１０２である。また、移動端末（ＭＮ）１１０１が本来属しているネットワークがホームネットワーク（ＨＮ）１１０３であり、移動後のネットワークがフォーリンネットワーク（ＦＮ）１１０４である。また、ホームネットワーク（ＨＮ）１１０３の管理ノードがホームエージェント（ＨＡ）１１０５であり、現在移動端末（ＭＮ）１１０１がどのネットワークに接続されているかを示す位置情報を登録している。また、フォーリンネットワーク（ＦＮ）１１０４の管理ノードがフォーリンエージェント１１０６である。また、１１０７は前記ネットワーク以外の外部ＩＰネットワークである。
【０００６】
各エージェントは、管理するネットワーク内にエージェント広告を定期的にブロードキャストしている。エージェント広告には、ＩＣＭＰ（Ｉｎｔｅｒｎｅｔ  Ｃｏｎｔｏｒｏｌ  Ｍｅｓｓａｇｅ  Ｐｒｏｔｏｃｏｌ）のＲｏｕｔｅｒ  Ｄｉｓｃｏｖｅｒｙの機能で使われるＩＣＭＰ  Ｒｏｕｔｅｒ  Ａｄｖｅｒｔｉｓｅｍｅｎｔ  ｍｅｓｓａｇｅにＭｏｂｉｌｉｔｙ  Ａｇｅｎｔ  Ａｄｖｅｒｔｉｓｅｍｅｎｔ  Ｅｘｔｅｎｓｉｏｎが拡張されたメッセージを用いる。
【０００７】
このＭｏｂｉｌｉｔｙ  Ａｇｅｎｔ  Ａｄｖｅｒｔｉｓｅｍｅｎｔ  Ｅｘｔｅｎｓｉｏｎメッセージのフォーマットを図１２に示す。
【０００８】
エージェント広告を受信することで、移動端末（ＭＮ）１１０１は、現在自分が接続されているエージェント、即ち、接続されているネットワークを知ることができる。
【０００９】
移動端末（ＭＮ）１１０１がフォーリンネットワーク（ＦＮ）１１０４に移動する場合の登録手続きは、以下の通りである。ここでは、連続して通信が行われている場合を考える。
【００１０】
初めに、移動端末（ＭＮ）１１０１はホームネットワーク、（ＨＮ）１１０３に位置しており、ホームエージェント（ＨＡ）１１０５の流すエージェント広告を受信している。この場合、ＣＮ１１０２との通信は、通常通りホームエージェント（ＨＡ）１１０５を通じて移動端末（ＭＮ）１１０１に転送される。移動端末（ＭＮ）１１０１がフォーリンネットワーク（ＦＮ）１１０４に向けて移動を開始すると、ホームネットワーク（ＨＮ）１１０３を外れたところで、ホームエージェント（ＨＡ）１１０５からのエージェント広告が到達不可能となり、受信されなくなる。移動端末（ＭＮ）１１０１は、エージェント広告に含まれているＩＣＭＰ  Ｒｏｕｔｅｒ  ＡｄｖｅｒｔｉｓｅｍｅｎｔのＬｉｆｅｔｉｍｅフィールドで指定されている時間経過しても新たなホームエージェント（ＨＡ）１１０５からのエージェント広告が受信されなかった場合に、ホームネットワーク、（ＨＮ）１１０３を外れたと判断する。
【００１１】
ここで、移動端末（ＭＮ）１１０１でフォーリンエージェント（ＦＡ）１１０６からのエージェント広告が既に受信されている場合、移動先ネットワークとしてフォーリンネットワーク（ＦＮ）１１０４を登録する。この登録には、まず、移動端末（ＭＮ）１１０１がフォーリンエージェント（ＦＡ）１１０６に対して図１３に示す登録要求を送信する。前記登録要求を受信したフォーリンエージェント（ＦＡ）１１０６は、前記登録要求のＨｏｍｅ  Ａｇｅｎｔフィールドで示されるアドレスのホームエージェント（ＨＡ）１１０５に前記登録要求を転送する。
【００１２】
前記登録要求を受信したホームエージェント（ＨＡ）１１０５は、Ｃａｒｅ−ｏｆ  Ａｄｄｒｅｓｓフィールドに示されるフォーリンネットワーク（ＦＮ）１１０４が移動端末（ＭＮ）１１０１を管理するためのアドレスを移動端末（ＭＮ）１１０１の位置情報として承認・登録し、フォーリンエージェント（ＦＡ）１１０６に図１４に示す登録応答を送信する。フォーリンエージェント（ＦＡ）１１０６は、受信した前記登録応答を移動端末（ＭＮ）１１０１に転送し、該移動端末（ＭＮ）１１０１が前記登録応答を受信することで登録手続を終了する。
【００１３】
続いて、データの送信方法であるが、この場合、ＣＮ１１０２から移動端末（ＭＮ）１１０１宛ＩＰアドレスで送信されたデータは、通常通り、まず、ホームエージェント（ＨＡ）１１０５で受信される。ホームエージェント（ＨＡ）１１０５では、登録されている移動端末（ＭＮ）１１０１の位置情報から、前記データに対してＣａｒｅ−ｏｆ  Ａｄｄｒｅｓｓ宛のＩＰアドレスを付加し（カプセリング）、フォーリンエージェント（ＦＡ）１１０６へ送信する。フォーリンエージェント（ＦＡ）１１０６では、前記カプセリングされたパケットを受信すると、前記Ｃａｒｅ−ｏｆ  Ａｄｄｒｅｓｓ宛のＩＰアドレスを外し（デカプセリング）、元のホームアドレスを宛先ＩＰアドレスに持つパケットにして、移動端末（ＭＮ）１１０１に送信することで、移動先ネットワークでも移動端末（ＭＮ）１１０１が元のホームアドレスを使った通信が可能となる（トンネリング）。
【００１４】
【発明が解決しようとする課題】
しかしながら、上記従来技術における登録手続きでは、移動端末（ＭＮ）１１０１は最低Ｌｉｆｅｔｉｍｅ時間、移動前のエージェントからのエージェント広告が受信されないことを確認してから、移動先のフォーリンエージェント（ＦＡ）１１０６を新たなエージェントとして採用することになるが、エージェント広告が受信されないこの期間中は、移動端末（ＭＮ）１１０１はどのエージェントからもデータを受信できないために通信が途絶えてしまう。
【００１５】
ＲＦＣ１２５６で規定されるＩＣＭＰ  Ｒｏｕｔｅｒ  Ａｄｖｅｒｔｉｓｅｍｅｎｔの周期は最低４秒以上となっており、連続メディアを使った通信を行う場合等では、このような長い時間データの受信が切断されることは重大な品質の低下を招くことになる。また、ＩＣＭＰのタイムアウトの代わりに移動先のエージェント広告の受信をもって移動検知のトリガーとすることで移動に伴う瞬断を抑制できるが、移動通信端末（移動体）が基地局を移動する際に該基地局から送信されるメッセージを利用することで瞬断時間を減じることが可能である。
【００１６】
本発明は、上記従来技術の有する問題点を解消するためになされたもので、その目的は、移動通信端末の登録手続きに伴うデータ断絶の時間短縮を図った移動通信端末管理方法を提供することである。
【００１８】
【課題を解決するための手段】
上記目的を達成するため、本発明による移動通信端末管理方法は、複数のネットワークを移動して通信を行う移動通信端末が、前記移動通信端末が所属するホームネットワークとは別の第１のネットワークに移動し、前記第１のネットワークに接続された移動通信端末管理装置が送信する第１のメッセージを受信する状態において、前記移動通信端末が、前記ホームネットワーク及び前記第１のネットワークとは別の第２のネットワークに接続された移動通信端末管理装置が送信する第２のメッセージ及び前記第１のメッセージの両方を受信する位置に移動すると、前記第２のネットワークを移動先として登録するための登録要求を、前記第１のネットワークに接続された移動通信端末管理装置に送信し、前記第１のネットワークに接続された移動通信端末管理装置が、前記登録要求を前記ホームネットワークに接続された移動通信端末管理装置に転送することを特徴とする。
【００２８】
【発明の実施の形態】
以下、本発明の各実施の形態について、図１〜図１０を用いて説明する。
【００２９】
（第１の実施の形態）
まず、本発明の第１の実施の形態を図１及び図２に基づき説明する。
【００３０】
図１は、本実施の形態に係る移動通信端末管理システムを有する無線移動通信システム（移動通信端末通信システム）におけるホームネットワーク（ＨＮ）からフォーリンネットワーク（ＦＮ）への移動を示す図である。
【００３１】
図１において、１０１は無線移動通信端末（ＭＮ）で、ホームネットワーク（ＨＮ）１０２に所属するＩＰアドレスを持っている。１０２はホームネットワーク（ＨＮ）で、ホームエージェント（ＨＡ）１０３に接続された基地局（ＢＳＨ）１０４からの電波を無線移動通信端末（ＭＮ）１０１で受信可能なエリアを表わす。１０５はフォーリンネットワーク（ＦＮ）で、フォーリンエージェント（ＦＡ）１０６に接続された基地局（ＢＳＦ）１０７からの電波を無線移動通信端末（ＭＮ）１０１で受信可能なエリアを表わす。ここで、基地局は１つでも複数であっても良く、基地局１つ当たりがカバーするエリアと、前記ネットワークエリアとは無関係である。１０８は外部ネットワークに接続されているＣｏｒｒｅｓｐｏｎｄ  Ｎｏｄｅ  （ＣＮ）、１０９は外部ネットワークであるＩＰネットワークである。
【００３２】
次に、無線移動通信端末（ＭＮ）１０１がＩＰネットワーク１０９に接続されているＣｏｒｒｅｓｐｏｎｄ  Ｎｏｄｅ  （ＣＮ）１０８との通信を維持したまま、無線移動通信端末（ＭＮ）１０１からフォーリンネットワーク（ＦＮ）１０５へと移動する場合の登録手続きを、図１及び図２を用いて説明する。
【００３３】
図２は、本実施の形態に係る無線移動通信システムにおけるホームネットワーク（ＨＮ）からフォーリンネットワーク（ＦＮ）への移動に伴う登録処理の流れを示す図である。
【００３４】
初めに、無線移動通信端末（ＭＮ）１０１は、本来の所属先であるホームネットワーク（ＨＮ）１０２に位置していて、Ｃｏｒｒｅｓｐｏｎｄ  Ｎｏｄｅ  （ＣＮ）１０８と通信を行っている（図１の１０１ａ）。フォーリングエージェント（ＦＡ）１０６からのエージェント広告（図２の２０２）は、まだ無線移動通信端末（ＭＮ）１０１までは到達不可能であり、無線移動通信端末（ＭＮ）１０１は、ホームエージェント（ＨＡ）１０３からのエージェント広告（図２の２０１）のみを受信している。
【００３５】
Ｍｏｂｉｌｅ  ＩＰのルールに従いホームネットワーク（ＨＮ）１０２においては、無線移動通信端末（ＭＮ）１０１はホームエージェント（ＨＡ）１０３に対して登録要求は行わず、ホームネットワーク（ＨＮ）１０２内での通信は通常の固定ＩＰ網と同様に、Ｃｏｒｒｅｓｐｏｎｄ  Ｎｏｄｅ  （ＣＮ）１０８から無線移動通信端末（ＭＮ）１０１宛のデータはホームエージェント（ＨＡ）１０３によって無線移動通信端末（ＭＮ）１０１へと転送され、また、無線移動通信端末（ＭＮ）１０１からＣｏｒｒｅｓｐｏｎｄ  Ｎｏｄｅ  （ＣＮ）１０８宛のデータはホームエージェント（ＨＡ）１０３によってＣｏｒｒｅｓｐｏｎｄ  Ｎｏｄｅ  （ＣＮ）１０８へと転送される。
【００３６】
次に、無線移動通信端末（ＭＮ）１０１がフォーリンネットワーク（ＦＮ）１０５に向かって移動を開始する。そして、無線移動通信端末（ＭＮ）１０１がある程度移動すると、該無線移動通信端末（ＭＮ）１０１は、ホームネットワーク（ＨＮ）１０２とフォーリンネットワーク（ＦＮ）１０５とが重なり合って、両方の基地局（ＢＳＨ）１０４、（ＢＳＦ）１０７からの電波を受信可能な領域に達する（図１の１０１ｂ）。
【００３７】
ここで無線移動通信端末（ＭＮ）１０１は、フォーリンエージェント（ＦＡ）１０６から最初のエージェント広告（図２の２０３）を受信し、フォーリンエージェント（ＦＡ）１０６の存在及び無線移動通信端末（ＭＮ）１０１がフォーリンネットワーク（ＦＮ）１０５の内部に入ったことを検知する。この時点では依然として、ホームエージェント（ＨＡ）１０３と双方向通信を行っており、Ｃｏｒｒｅｓｐｏｎｄ  Ｎｏｄｅ  （ＣＮ）１０８が送信したデータは、ホームエージェント（ＨＡ）１０３から直接無線移動通信端末（ＭＮ）１０１に転送されている。
【００３８】
本発明の登録方式により、無線移動通信端末（ＭＮ）１０１はエージェント広告（図２の２０３）を受信すると、ホームエージェント（ＨＡ）１０３からのエージェント広告の不到達を待つことなく、直ちにフォーリンエージェント（ＦＡ）１０６を新たな接続先ネットワークのエージェントとして登録することを試みる。
【００３９】
ところで、図１の１０１ｂの位置において、無線移動通信端末（ＭＮ）１０１は、ホームエージェント（ＨＡ）１０３からのエージェント広告を受信することは可能であるが、送信電力等の無線移動通信端末の機能的な制約によって、無線移動通信端末（ＭＮ）１０１からフォーリンネットワーク（ＦＮ）１０５の基地局に向けての送信は不可能である場合が想定される。
【００４０】
そこで、無線移動通信端末（ＭＮ）１０１は、フォーリンネットワーク（ＦＮ）１０５の基地局への送信が可能であるか否かに拘らず、現在双方向通信が可能であるホームネットワーク（ＨＮ）１０２の基地局を通じてホームエージェント（ＨＡ）１０３に直接登録要求を行う（図２の２０４）。
【００４１】
この登録要求には、図１３に示すフォーマットを示すメッセージを用いるため、移動先ネットワークのＣａｒｅ−ｏｆ  Ａｄｄｒｅｓｓが必要であるが、無線移動通信端末（ＭＮ）１０１は既にフォーリンエージェント（ＦＡ）１０６からエージェント広告を受信しており、図２でフォーマットを示すように、フォーリンエージェント（ＦＡ）１０６のＣａｒｅ−ｏｆ  Ａｄｄｒｅｓｓは広告から知ることができる。
【００４２】
無線移動通信端末（ＭＮ）１０１からの登録要求を受信したホームエージェント（ＨＡ）１０３は、登録要求メッセージに含まれるフォーリンエージェント（ＦＡ）１０６のＣａｒｅ−ｏｆ  Ａｄｄｒｅｓｓを登録・承認し、フォーリンエージェント（ＦＡ）１０６に対して登録応答（図２の２０５）を送信する。登録応答送信以降は、ホームエージェント（ＨＡ）１０３はトンネリングを開始し、Ｃｏｒｒｅｓｐｏｎｄ  Ｎｏｄｅ  （ＣＮ）１０８から無線移動通信端末（ＭＮ）１０１宛のパケットは、ホームエージェント（ＨＡ）１０３においてフォーリンエージェント（ＦＡ）１０６のＣａｒｅ−ｏｆ  Ａｄｄｒｅｓｓを宛先としたＩＰアドレスが付加されて、フォーリンネットワーク（ＦＮ）１０５へ向けて送信される。
【００４３】
従って、登録応答（図２の２０５）の直前にホームエージェント（ＨＡ）１０３で送信されたデータの受信を最後に、無線移動通信端末（ＭＮ）１０１は切断状態になる。ホームエージェント（ＨＡ）１０３からの登録応答（図２の２０５）を受信したフォーリンエージェント（ＦＡ）１０６は、通常のＭｏｂｉｌｅ  ＩＰ同様に、これを無線移動通信端末（ＭＮ）１０１へ転送する（図２の２０６）。
【００４４】
無線移動通信端末（ＭＮ）１０１においてフォーリンエージェント（ＦＡ）１０６からの登録応答を受信した段階で登録手続きが完了すると、無線移動通信端末（ＭＮ）１０１はフォーリンエージェント（ＦＡ）１０６からのデータ受信を開始する。
【００４５】
以上のように、本実施の形態によれば、上記登録手続きによるデータ受信の切断期間が、登録応答（図２の２０５）の送信から登録応答（図２の２０６）の受信迄であり、エージェント広告のタイムアウトをもって登録要求のトリガーとする従来方式に比べ、無線移動通信端末（ＭＮ）１０１〜フォーリンエージェント（ＦＡ）１０６間の往復伝送遅延と同程度にまで切断時間が短縮される。
【００４６】
即ち、Ｍｏｂｉｌｅ  ＩＰを利用して複数のネットワーク間を移動しながら連続した通信を行う場合に、無線移動通信端末（ＭＮ）の位置情報の登録処理に伴うデータ受信の切断時間を、ホームエージェント（ＨＡ）が登録応答を送信してから無線移動通信端末（ＭＮ）で要録応答が受信されるまでの期間に短縮することが可能である。そのため、連続メディアの受信のように、通信に連続性が求められる場合に特に有効である。
【００４７】
（第２の実施の形態）
次に、本発明の第２の実施の形態を図３及び図４に基づき説明する。
【００４８】
図３は、本実施の形態に係る移動通信端末管理システムを有する無線移動通信システム（移動通信端末通信システム）におけるフォーリンネットワーク（ＦＮｃｕｒ）から別のフォーリンネットワーク（ＦＮｎｅｗ）への移動を示す図である。
【００４９】
図３において、３０１は無線移動通信端末（ＭＮ）、３０２はフォーリンネットワーク（ＦＮｃｕｒ）、３０３はフォーリンエージェント（ＦＡｃｕｒ）、３０４は基地局（ＢＳＦｃｕｒ）、３０５はフォーリンネットワーク（ＦＮｎｅｗ）、３０６はフォーリンエージェント（ＦＡｎｅｗ）、３０７は基地局（ＢＳＦｎｅｗ）、３０８はＣｏｒｒｅｓｐｏｎｄ  Ｎｏｄｅ  （ＣＮ）、３０９はホームエージェント（ＨＡ）、３１０はＩＰネットワーク（外部ネットワーク）である。
【００５０】
次に、無線移動通信端末（ＭＮ）３０１が１つのフォーリンネットワーク（ＦＮｃｕｒ）３０２から別のフォーリンネットワーク（ＦＮｎｅｗ）３０６へ移動する場合について、図３及び図４を用いて説明する。
【００５１】
図４は、本実施の形態に係る無線移動通信システムにおけるフォーリンネットワーク（ＦＮｃｕｒ）から別のフォーリンネットワーク（ＦＮｎｅｗ）への移動に伴う登録処理の流れを示す図である。
【００５２】
無線移動通信端末（ＭＮ）３０１は、例えば、上述した第１の実施の形態で説明した方法によって、既に一方のフォーリンネットワーク（ＦＮｃｕｒ）３０２に移動している。ホームエージェント（ＨＡ）３０９は、無線移動通信端末（ＭＮ）３０１の接続ネットワークの位置情報として、フォーリンエージェント（ＦＡｃｕｒ）３０３のＣａｒｅ−ｏｆ  Ａｄｄｒｅｓｓを登録しており、Ｃｏｒｒｅｓｐｏｎｄ  Ｎｏｄｅ  （ＣＮ）３０８から送信されたデータは、ホームエージェント（ＨＡ）３０９においてトンネリングされ、フォーリンエージェント（ＦＡｃｕｒ）３０３を経由して無線移動通信端末（ＭＮ）３０１に配送されている。
【００５３】
初めに、無線移動通信端末（ＭＮ）３０１はフォーリンエージェント（ＦＡｃｕｒ）３０３からのエージェント広告（図４の４０１）のみを受信しており、フォーリンエージェント（ＦＡｎｅｗ）３０６からのエージェント広告（図４の４０２）は無線移動通信端末（ＭＮ）３０１に到達していない（図３の３０１ａ）。
【００５４】
次に、無線移動通信端末（ＭＮ）３０１がフォーリンネットワーク（ＦＮｎｅｗ）３０５に向かって移動を開始し、図３の３０１ｂの位置まで移動してフォーリンネットワーク（ＦＮｎｅｗ）３０５の領域内に入ると、フォーリンエージェント（ＦＡｎｅｗ）３０６からのエージェント広告（図４の４０２）が受信可能となる。
【００５５】
フォーリンエージェント（ＦＡｎｅｗ）３０６からの最初のエージェント広告（図４の４０３）の受信をもって移動を検知した無線移動通信端末（ＭＮ）３０１は、フォーリンネットワーク（ＦＮｎｅｗ）３０５を新たな接続先ネットワークとして登録するための登録要求を直ちに行う。この登録要求では、受信したフォーリンエージェント（ＦＡｎｅｗ）３０６からのエージェント広告で指定されたフォーリンエージェント（ＦＡｎｅｗ）３０６のＣａｒｅ−ｏｆ  Ａｄｄｒｅｓｓを移動先ネットワークでのＣａｒｅ−ｏｆ  Ａｄｄｒｅｓｓとし、現在双方向通信を行っているフォーリンエージェント（ＦＡｃｕｒ）３０３に対して登録要求メッセージを送信する（図４の４０４）。
【００５６】
登録要求を受信したフォーリンエージェント（ＦＡｃｕｒ）３０３は、Ｍｏｂｉｌｅ  ＩＰのルールに従って、これをホームエージェント（ＨＡ）３０９へ転送する（図４の４０５）。フォーリンエージェント（ＦＡｃｕｒ）３０３からの登録要求を受信したホームエージェント（ＨＡ）３０９は、登録要求メッセージに含まれるフォーリンエージェント（ＦＡｎｅｗ）３０６のＣａｒｅ−ｏｆ  Ａｄｄｒｅｓｓを登録・承認し、フォーリンエージェント（ＦＡｎｅｗ）３０６に対して登録応答を送信した後（図４の４０６）、トンネリングにより無線移動通信端末（ＭＮ）３０１宛のパケットをフォーリンネットワーク（ＦＮｎｅｗ）３０５へ転送する。
【００５７】
ホームエージェント（ＨＡ）３０９からの登録応答を受信したフォーリンエージェント（ＦＡｎｅｗ）３０６は、これを無線移動通信端末（ＭＮ）３０１に転送し（図４の４０７）、これを無線移動通信端末（ＭＮ）３０１が受信することで、フォーリンネットワーク（ＦＮｃｕｒ）３０２からフォーリンネットワーク（ＦＮｎｅｗ）３０５への無線移動通信端末（ＭＮ）３０１の移動登録手続きが完了する。
【００５８】
（第３の実施の形態）
次に、本発明の第３の実施の形態を図５及び図６に基づき説明する。
【００５９】
図５は、本実施の形態に係る移動通信端末管理システムを有する無線移動通信システム（移動通信端末通信システム）における異なるネットワークの基地局への移動を示す図である。
【００６０】
図５において、５０１は無線移動通信端末（ＭＮ）で、ホームエージェント（ＨＡ）５１０の管理するホームネットワーク（ＨＮ）５１２に所属するＩＰアドレスを持っている。５０５，５０９は基地局（ＢＴＳ１），（ＢＴＳ２）、５０４，５０８は基地局制御装置（ＢＳＣ１），（ＢＳＣ２）、５０３，５０７は移動交換機（ＭＳＣ１），（ＭＳＣ２）で、外部ネットワークへの接続を行う。また、５０２，５０６はそれぞれ基地局（ＢＴＳ１）５０５，（ＢＴＳ２）５０９と無線移動通信端末（ＭＮ）５０１とが通信可能なエリアを表わすフォーリンネットワークである。また、各基地局制御装置（ＢＳＣ１）５０４，（ＢＳＣ２）５０８はフォーリンエージェント（ＦＡ）としての機能を備えており、それぞれの管理するネットワークは基地局のフォーリンネットワーク（ＦＮ１）５０２，（ＦＮ２）５０６と一致しているものとする。５１１はＣｏｒｒｅｓｐｏｎｄ  Ｎｏｄｅ  （ＣＮ）、５１３は外部ネットワークであるＩＰネットワークである。
【００６１】
無線移動通信端末（ＭＮ）５０１がフォーリンネットワーク（ＦＮ１）５０２に位置していて基地局（ＢＴＳ１）５０５に接続している間は、通常のＭｏｂｉｌｅ  ＩＰの送信手続きが取られる。即ち、Ｃｏｒｒｅｓｐｏｎｄ  Ｎｏｄｅ  （ＣＮ）５１１から無線移動通信端末（ＭＮ）５０１へ送信されたデータは、まず、該無線移動通信端末（ＭＮ）５０１が本来所属するネットワークの管理ノードであるホームエージェント（ＨＡ）５１０で受信される。
【００６２】
このホームエージェント（ＨＡ）５１０には、現在の無線移動通信端末（ＭＮ）５０１が所属するフォーリンネットワーク（ＦＮ１）５０２の管理ノードであるフォーリンエージェント（ＦＡ1）５０４のアドレス情報が登録されていて、ホームエージェント（ＨＡ）５１０は、受信したデータに前記アドレスをＣａｒｅ−ｏｆ  Ａｄｄｒｅｓｓとして付加してフォーリンネットワーク（ＦＮ１）５０２へと転送する。これを受信したフォーリンエージェント（ＦＡ1）５０４は、前記データに付加されていたアドレスを外し、このデータを無線移動通信端末（ＭＮ）５０１へ送信することで、該無線移動通信端末（ＭＮ）５０１とＣｏｒｒｅｓｐｏｎｄ  Ｎｏｄｅ  （ＣＮ）５１１との通信が行われている。
【００６３】
この状態から、無線移動通信端末（ＭＮ）５０１がフォーリンネットワーク（ＦＮ２）５０６へ移動する際の手続きを、図５及び図６に基づき説明する。
【００６４】
図６は、本実施の形態に係る無線移動通信システムにおける異なるネットワークの基地局への移動に伴う登録処理の流れを示す図である。
【００６５】
無線移動通信端末（ＭＮ）５０１は、ある程度移動したところで、基地局（ＢＴＳ２）５０９の送信するパイロットチャネルを受信する（図６の６０１）。
【００６６】
これをトリガーに無線移動通信端末（ＭＮ）５０１は、基地局のハンドオーバ手続きを行う。まず、無線移動通信端末（ＭＮ）５０１は、受信したパイロットチャネルの受信強度を測定し（図６の６０２）、通信可能なだけの受信強度が得られた場合、このパイロットチャネルの識別子を含んだメッセージを送信する（図６の６０３）。このメッセージを受信した基地局（ＢＴＳ２）５０９では、これを基地局制御装置（ＢＳＣ２）５０８に通知し（図６の６０４）、該基地局制御装置（ＢＳＣ２）５０８は、無線移動通信端末（ＭＮ）５０１を受信可能な基地局（ＢＴＳ２）５０９へハンドオーバさせ、該ハンドオーバを無線移動通信端末（ＭＮ）５０１及び基地局制御装置（ＢＳＣ１）５０４に通知し（図６の６０５）、基地局のハンドオーバが完了する（図６の６０６）。
【００６７】
この段階で基地局制御装置（ＢＳＣ１）５０４宛に送られているデータの受信が不可能となるが、以上の手続きによれば、無線移動通信端末（ＭＮ）５０１が基地局の移動と同時にネットワークを超えて移動してＭｏｂｉｌｅ  ＩＰのハンドオーバが必要になったことを、基地局制御装置の持つ基地局管理情報によって直ちに検知することが可能であり、Ｍｏｂｉｌｅ  ＩＰのハンドオーバを同期させることで瞬断を抑制することができる。
【００６８】
そこで、基地局制御装置（ＢＳＣ２）５０８からハンドオーバの通知を受けた基地局制御装置（ＢＳＣ１）５０４は、フォーリンエージェント（ＦＡ）の機能として管理している無線移動通信端末（ＭＮ）５０１のアドレスと基地局制御装置（ＢＳＣ２）５０８のアドレスとを用いて、図１３に示すフォーマットでホームエージェント５１０に登録要求を行う（図６の６０７）。
【００６９】
基地局制御装置（ＢＳＣ１）５０４からの登録要求を受信したホームエージェント（ＨＡ）５１０は、登録要求メッセージに含まれるＣａｒｅ−ｏｆ  Ａｄｄｒｅｓｓを登録・承認し（図６の６０８）、基地局制御装置（ＢＳＣ２）５０８に対して図１４に示すフォーマットで登録応答を送信する（図６の６０９）。
【００７０】
登録応答送信以降は、ホームエージェント（ＨＡ）５１０はトンネリングを開始し、Ｃｏｒｒｅｓｐｏｎｄ  Ｎｏｄｅ  （ＣＮ）５１１から無線移動通信端末（ＭＮ）５０１宛のパケットは、ホームエージェント（ＨＡ）５１０において基地局制御装置（ＢＳＣ２）５０８のＣａｒｅ−ｏｆ  Ａｄｄｒｅｓｓを宛先としたＩＰアドレスが付加されて、フォーリンネットワーク（ＦＮ２）５０６へ向けて送信される。
【００７１】
ホームエージェント（ＨＡ）５１０からの登録応答（図６の６０９）を受信した基地局制御装置（ＢＳＣ２）５０８は、これを無線移動通信端末（ＭＮ）５０１へ転送する（図６の６１０）。該無線移動通信端末（ＭＮ）５０１において、基地局制御装置（ＢＳＣ２）５０８からの登録応答を受信した段階で登録手続きが完了すると（図６の６１１）、無線移動通信端末（ＭＮ）５０１は、基地局制御装置（ＢＳＣ２）５０８からのデータ受信を開始する（図６の６１２）。
【００７２】
上述した本実施の形態では、データ受信の切断期間が、基地局制御装置（ＢＳＣ２）５０８の送信するエージェント広告の送信タイミングによらず、基地局のハンドオーバの完了（６０６）から登録応答の受信（６１１）迄で、これにより基地局制御装置（ＢＳＣ１）５０４〜ホームエージェント（ＨＡ））５１０間の往復伝送遅延と同程度にまで切断時間を短縮することができる。
【００７３】
即ち、Ｍｏｂｉｌｅ  ＩＰを利用して複数のネットワーク間を移動しながら連続した通信を行う場合に、無線移動通信端末（ＭＮ）の位置情報の登録手続き処理に伴うデータ受信の切断時間を、フォーリンエージェント（ＦＡ）とホームエージェント（ＨＡ）との間の往復遅延程度に短縮することが可能である。そのため、連続メディアの受信のように通信に連続性が求められる場合に特に有効である。
【００７４】
（第４の実施の形態）
次に、本発明の第４の実施の形態を、図７に基づき説明する。
【００７５】
図７は、本実施の形態に係る移動通信端末管理システムを有する無線移動通信システム（移動通信端末通信システム）における同一ネットワークの基地局への移動を示す図である。
【００７６】
図７において、７０１は無線移動通信端末（ＭＮ）、７０２は基地局制御装置（ＢＳＣ）で、フォーリンエージェント（ＦＡ）の機能を持つ。７０３，７０４は基地局（ＢＴＳ１），（ＢＴＳ２）、７０５はフォーリンネットワーク（ＦＮ）である。
【００７７】
本実施の形態においては、１つの基地局制御装置（ＢＳＣ）７０２に複数の基地局（ＢＴＳ１）７０３，（ＢＴＳ２）７０４が接続されている。
【００７８】
また、本実施の形態においては、無線移動通信端末（ＭＮ）７０１が基地局（ＢＴＳ１）７０３，（ＢＴＳ２）７０４のハンドオーバを行うが、いずれの基地局（ＢＴＳ１）７０３，（ＢＴＳ２）７０４も、基地局制御装置（ＢＳＣ）７０２の管理するフォーリンネットワーク（ＦＮ）７０５に属しているため、Ｍｏｂｉｌｅ  ＩＰのハンドオーバは発生しない。
【００７９】
（第５の実施の形態）
次に、本発明の第５の実施の形態を、図８〜図１０に基づき説明する。
【００８０】
図８は、本実施の形態に係る移動通信端末管理システムを有する無線移動通信システム（移動通信端末通信システム）における異なるネットワークの基地局への移動を示す図である。
【００８１】
図８において、８０１は無線移動通信端末（ＭＮ）、８０２，８０８はフォーリンネットワーク（ＦＡ１），（ＦＡ２）、８０３，８０９は移動交換機（ＭＳＣ１），（ＭＳＣ２）で、フォーリンエージェント（ＦＡ）の機能を持つ。また、８０４，８０６，８１０は基地局制御装置（ＢＳＣ１１），（ＢＳＣ１２），（ＢＳＣ２）、８０５，８０７，８１１は基地局（ＢＴＳ１１），（ＢＴＳ１２），（ＢＴＳ２）、８１２はホームエージェント（ＨＡ）、８１３はＣｏｒｒｅｓｐｏｎｄ  Ｎｏｄｅ  （ＣＮ）、８１４はホームネットワーク（ＨＮ）、８１５は外部ネットワークであるＩＰネットワークである。
【００８２】
次に、移動交換機（ＭＳＣ１）８０３，（ＭＳＣ２）８０９がフォーリンエージェント（ＦＡ）の機能を持ち、基地局制御装置（ＢＳＣ１１）８０４，（ＢＳＣ１２）８０６，（ＢＳＣ２）８１０はフォーリンエージェント（ＦＡ）の機能を持たず、１つのネットワークに複数含まれる本実施の形態に係る構成における手順について、図８及び図９を用いて説明する。
【００８３】
図９は、本実施の形態に係る無線移動通信システムにおける異なる基地局への移動に伴う登録処理の流れを示す図である。
【００８４】
初めに、基地局（ＢＴＳ１１）８０５に接続されている無線移動通信端末（ＭＮ）８０１が同じフォーリンネットワーク（ＦＮ１）８０２内の別の基地局（ＢＴＳ１２）８０７へハンドオーバする場合について説明する。
【００８５】
まず、基地局のハンドオーバにおける無線移動通信端末（ＭＮ）８０１〜基地局制御装置（ＢＳＣ１１）８０４，（ＢＳＣ１２）８０６，（ＢＳＣ２）８１０間の手続き（図９の９０１〜９０４）については、上述した第３の実施の形態と同一である。
【００８６】
基地局（ＢＴＳ１２）８０７は、基地局のハンドオーバを実行し且つ該ハンドオーバを移動交換機（ＭＳＣ１）８０３に通知する（図９の９０５）。移動交換機（ＭＳＣ１）８０３では、無線移動通信端末（ＭＮ）８０１が現在接続している基地局（ＢＴＳ１１）８０４及び基地局制御装置（ＢＳＣ１１）８０４が自分と同じネットワークに属しているノードであるか否かを判断する。そして、移動交換機（ＭＳＣ１）８０３が自分の管理するノードであることを検知した場合は、Ｍｏｂｉｌｅ  ＩＰのハンドオーバが不要であると判断して、処理を終了し、基地局ハンドオーバを完了する（図９の９０６）。
【００８７】
次に、基地局（ＢＴＳ１２）８０７に接続された無線移動通信端末（ＭＮ）８０１がフォーリンネットワーク（ＦＮ２）８０８へ移動する場合について、図１０を用いて説明する。
【００８８】
ここでも基地局（ＢＴＳ２）８１１が送信するパイロットチャネルを無線移動通信端末（ＭＮ）８０１が受信し、受信強度の測定とメッセージの送信を行うところまで（図１０の１００１〜１００３）は、上述した第３の実施の形態と同一である。
【００８９】
前記メッセージを受信した基地局（ＢＴＳ２）８１１は、その旨を基地局制御装置（ＢＳＣ２）８１０に通知し（図１０の１００４）、該基地局制御装置（ＢＳＣ２）８１０は、ハンドオーバの実施を決定し且つその旨を無線移動通信端末（ＭＮ）８０１及び移動交換機（ＭＳＣ２）８０９へそれぞれ通知する（図１０の１００５）。
【００９０】
移動交換機（ＭＳＣ２）８０９は、ハンドオーバの通知を受けると、無線移動通信端末（ＭＮ）８０１が接続していた基地局（ＢＴＳ１１）８０５及び基地局（ＢＴＳ１２）８０７が自分の管理するフォーリンネットワーク（ＦＮ２）８０８のノードであるかを判断する。
【００９１】
今、基地局制御装置（ＢＳＣ１１）８０４は、フォーリンネットワーク（ＦＮ１）８０２のノードであるから、移動交換機（ＭＳＣ２）８０９は、基地局の移動に伴い無線移動通信端末（ＭＮ）８０１がネットワークを超えた移動を行ったことを検知し、移動後の新しい接続先アドレス情報を他の移動交換機（ＭＳＣ）と共に更新する。
【００９２】
そして、他の移動交換機（ＭＳＣ）により更新が行われたことにより、移動交換機（ＭＳＣ１）８０３は、無線移動通信端末（ＭＮ）８０１がＭｏｂｉｌｅ  ＩＰでハンドオーバを行ったことを検知し、登録していた無線移動通信端末（ＭＮ）８０１のアドレスと、変更を通知してきた移動交換機（ＭＳＣ２）８０９のアドレスとを用いて、図１３に示すフォーマットで登録要求を行う。この登録要求後の手続きは、上述した第３の実施の形態と同一である。
【００９３】
なお、本発明は、上述した各実施の形態を実現するためのシステム及び装置及び方法のみに限定されるものではなく、上記システムまたは装置内のコンピュータ（ＣＰＵ或いはＭＰＵ）に、上述した各実施の形態を実現するためのソフトウェアのプログラムコードを供給し、このプログラムコードに従って上記システム或いは装置のコンピュータが各種のデバイスを動作させることにより、上述した各実施の形態を実現する場合も本発明の範疇に含まれる。
【００９４】
また、この場合、前記ソフトウェアのプログラムコード自体が上述した各実施の形態の機能を実現することになり、そのプログラムコード自体及びそのプログラムコードをコンピュータに供給するための手段、具体的には上記プログラムコードを格納した記憶媒体は本発明の範疇に含まれる。
【００９５】
このようなプログラムコードを格納する記憶媒体としては、ハードディスク、フロッピーディスク、光ディスク、光磁気ディスク、ＣＤ−Ｒ、ＤＶＤ、磁気テープ、不揮発性のメモリカード、ＲＯＭ、ＣＤ−ＲＯＭ等を用いることができる。
【００９６】
また、上記コンピュータが、供給されたプログラムコードのみに従って各種デバイスを制御することにより、上述した各実施の形態の機能が実現される場合だけではなく、上記プログラムコードがコンピュータ上で稼動しているＯＳ（オペレーティングシステム）或いは他のアプリケーションソフト等と共同して上述した各実施の形態が実現される場合にも、斯かるプログラムコードは本発明の範疇に含まれる。
【００９７】
更に、この供給されたプログラムコードが、コンピュータの機能拡張ボードやコンピュータに接続された機能拡張ユニットに備わるメモリに格納された後、そのプログラムコードの指示に基づいて、その機能拡張ボードや機能拡張ユニットに備わるＣＰＵ等が実際の処理の一部または全部を行い、その処理によって上述した各実施の形態が実現される場合も本発明の範疇に含まれる。
【００９８】
【発明の効果】
以上詳述したように、本発明の移動通信端末管理方法によれば、複数のネットワーク間を移動しながら連続した通信を行う場合に、移動通信端末の位置情報の登録手続き処理に伴うデータ受信の断絶（切断）時間を短縮することができる。
【図面の簡単な説明】
【図１】  本発明の第１の実施の形態に係る移動通信端末管理システムを有する無線移動通信システム（移動通信端末通信システム）におけるホームネットワーク（ＨＮ）からフォーリンネットワーク（ＦＮ）への移動を示す図である。
【図２】  本発明の第１の実施の形態に係る無線移動通信システムにおけるホームネットワーク（ＨＮ）からフォーリンネットワーク（ＦＮ）への移動に伴う登録処理の流れを示す図である。
【図３】  本発明の第２の実施の形態に係る移動通信端末管理システムを有する無線移動通信システム（移動通信端末通信システム）におけるフォーリンネットワーク（ＦＮｃｕｒ）から別のフォーリンネットワーク（ＦＮｎｅｗ）への移動を示す図である。
【図４】  本発明の第２の実施の形態に係る無線移動通信システムにおけるフォーリンネットワーク（ＦＮｃｕｒ）から別のフォーリンネットワーク（ＦＮｎｅｗ）への移動に伴う登録処理の流れを示す図である。
【図５】  本発明の第３の実施の形態に係る移動通信端末管理システムを有する無線移動通信システム（移動通信端末通信システム）無線移動通信システムにおける異なるネットワークの基地局への移動を示す図である。
【図６】  本発明の第３の実施の形態に係る無線移動通信システムにおける異なるネットワークの基地局への移動に伴う登録処理の流れを示す図である。
【図７】  本発明の第４の実施の形態に係る移動通信端末管理システムを有する無線移動通信システム（移動通信端末通信システム）における同一ネットワークの別基地局への移動を示す図である。
【図８】  本発明の第５の実施の形態に係る移動通信端末管理システムを有する無線移動通信システム（移動通信端末通信システム）における異なるネットワークの基地局への移動を示す図である。
【図９】  本発明の第５の実施の形態に係る無線移動通信システムにおける異なるネットワークの基地局への移動に伴う登録処理の流れを示す図である。
【図１０】  本発明の第５の実施の形態に係る無線移動通信システムにおける基地局（ＢＴＳ１２）に接続された無線移動通信端末（ＭＮ）がフォーリンネットワーク（ＦＮ２）へ移動する場合の登録処理の流れを示す図である。
【図１１】  従来のＭｏｂｉｌｅ  ＩＰを行う無線移動通信システムの構成を示す図である。
【図１２】  Ｍｏｂｉｌｉｔｙ  Ａｇｅｎｔ  Ａｄｖｅｒｔｉｓｅｍｅｎｔ  Ｅｘｔｅｎｓｉｏｎのフォーマットを示す図である。
【図１３】  登録要求メッセージのフォーマットを示す図である。
【図１４】  登録応答メッセージのフォーマットを示す図である。
【符号の説明】
１０１      無線移動通信端末（ＭＮ）
１０２      ホームネットワーク（ＨＮ）
１０３      ホームエージェント（ＨＡ）
１０４      基地局（ＢＳＨ）
１０５      フォーリンネットワーク（ＦＮ）
１０６      フォーリンエージェント（ＦＡ）
１０７      基地局（ＢＳＦ）
１０８      Ｃｏｒｒｅｓｐｏｎｄ  Ｎｏｄｅ  （ＣＮ）
１０９      ＩＰネットワーク（外部ネットワーク）
３０１      無線移動通信端末（ＭＮ）
３０２      フォーリンネットワーク（ＦＮｃｕｒ）
３０３      フォーリンエージェント（ＦＡｃｕｒ）
３０４      基地局（ＢＳＦｃｕｒ）
３０５      フォーリンネットワーク（ＦＮｎｅｗ）
３０６      フォーリンエージェント（ＦＡｎｅｗ）
３０７      基地局（ＢＳＦｎｅｗ）
３０８      Ｃｏｒｒｅｓｐｏｎｄ  Ｎｏｄｅ  （ＣＮ）
３０９      ホームエージェント（ＨＡ）
３１０      ＩＰネットワーク
５０１      無線移動通信端末
５０２      フォーリンネットワーク（ＦＮ１）
５０３      移動交換機（ＭＳＣ１）
５０４      基地局制御装置（ＢＳＣ１）
５０５      基地局（ＢＴＳ１）
５０６      フォーリンネットワーク（ＦＮ２）
５０７      移動交換機（ＭＳＣ２）
５０８      基地制御装置（ＢＳＣ２）
５０９      基地局（ＢＴＳ２）
５１０      ホームエージェント（ＨＡ）
５１１      Ｃｏｒｒｅｓｐｏｎｄ  Ｎｏｄｅ  （ＣＮ）
５１２      ホームネットワーク（ＨＮ）
５１３      ＩＰネットワーク（外部ネットワーク）
７０１      無線移動通信端末（ＭＮ）
７０２      基地局制御装置（ＢＳＣ）
７０３      基地局（ＢＴＳ１）
７０４      基地局（ＢＴＳ２）
７０５      フォーリンネットワーク（ＦＮ）
【図１】
0004598946.tif 000002
【図２】
0004598946.tif 000003
【図３】
0004598946.tif 000004
【図４】
0004598946.tif 000005
【図５】
0004598946.tif 000006
【図６】
0004598946.tif 000007
【図７】
0004598946.tif 000008
【図８】
0004598946.tif 000009
【図９】
0004598946.tif 000010
【図１０】
0004598946.tif 000011
【図１１】
0004598946.tif 000012
【図１２】
0004598946.tif 000013
【図１３】
0004598946.tif 000014
【図１４】
0004598946.tif 000015